(57)【特許請求の範囲】
【請求項１】
梱包ケース内部に外周枠と、前記梱包ケースと前記外周枠とを緩衝するための梱包材Ａと、前記梱包ケースと外周枠との擦れを防ぐためのポリシートを設け、さらにその内側に開閉可能な点検パネルと、前記外周枠と点検パネルの間を緩衝するための梱包材Ｂを設け、前記点検パネルの両サイドに設けるパネル支持部材を前記点検パネルから外した状態で同梱するようにした天井パネルの梱包体。
【請求項２】
外周枠と点検パネルの間を緩衝するための梱包材Ｂに、パネル支持部材をはめ込むための孔を設けた構造とした請求項１記載の天井パネルの梱包体。
【請求項３】
梱包ケースを折り返し、バンドのみで固定する構造とした請求項１記載の天井パネルの梱包体。
【請求項４】
梱包ケースの四隅を折り曲げることで、梱包ケースと外周枠とを緩衝するための梱包材を不要とした請求項１記載の天井パネルの梱包体。
【発明の詳細な説明】
【０００１】
【発明の属する技術分野】
本発明は、熱交換気ユニットなどの空気調和機の天井パネルの梱包体に関する。
【０００２】
【従来の技術】
近年、熱交換気ユニットなどの空気調和機の梱包は、従来梱包同等の緩衝性能を保ちつつ、市場より梱包部材の低減および梱包作業の簡略化が求められている。
【０００３】
従来この種の空気調和機本体の包装構造は、実開平３−４５６８号公報に記載されたものが知られており、天井パネルの梱包体は、図４に示すような構成が一般的であった。
【０００４】
以下、その天井パネルの梱包体について図４および図５を参照しながら説明する。
【０００５】
図４に示すように、クラフトテープ等の接合手段１０７によって形成した上ケース１０２および下ケース１０３、上ケース１０２および下ケース１０３を固定するバンド１０８からなる梱包ケース１０１内部に外周枠１０９、および梱包ケース１０１と外周枠１０９とを緩衝するための梱包材Ａ１０５、梱包ケース１０１と外周枠１０９との擦れを防ぐためのポリシート１０４を配置し、さらにその内側に風向調節のための羽根１１２、および両端にパネル支持部材１１３を配した点検パネル１１０（図５参照）と、点検パネル１１０を固定するための梱包材Ｂ１０６が設けてある。また、図４（Ｃ）に示すように、外周枠１０９と点検パネル１１０とは、テープ等の接合手段１１１により固定していた。
【０００６】
【発明が解決しようとする課題】
このような従来の天井パネルの梱包体は、点検パネル１１０の両端に設けられたパネル支持部材１１３の変形や破損を防止するために梱包材Ｂ１０６によっておおよそ固定し、さらに外周枠１０９と点検パネル１１０とをテープ等の接合手段１１１により補強する必要があり、補強作業の廃止が求められている。
【０００７】
また、破損を防止するために点検パネル１１０からパネル支持部材１１３を取り外して梱包した場合には、さらにテープ等の接合手段１１１によりパネル支持部材１１３を固定する作業が増えてしまい、テープ等の固定作業なしでもパネル支持部材１１３を固定できるようにすることが求められている。
【０００８】
また、梱包ケース１０１を箱形状にするために上下２つのケースをクラフトテープ等でそれぞれ接合する必要があり、クラフトテープ等で接合する作業をなくすとともに部品点数を低減することが求められている。
【０００９】
また、梱包ケース１０１と外周枠１０９との間に緩衝するための梱包材Ａ１０５を設ける必要があり、部品点数を低減することが求められている。
【００１０】
本発明は、このような従来の課題を解決するものであり、点検パネルの両サイドに設けたパネル支持部材を取り外し、外周枠と点検パネルの間を緩衝するための梱包材Ｂに設けられた孔にパネル支持部材をはめ込んだ状態で同梱することにより、テープ等の接合手段による固定作業を廃止することを目的としている。
【００１１】
また、梱包ケースを折り返し、バンドのみで固定する構造とすることによりクラフトテープ等で接合する作業をなくすとともに部品点数を低減することを目的としている。
【００１２】
また、梱包ケースと、梱包ケースと外周枠とを緩衝するための梱包材Ａとを一体に構成することにより部品点数を削減することを目的としている。
【００１３】
【課題を解決するための手段】
上記課題を解決するための本発明の天井パネルの梱包体の一つの手段は、梱包ケース内部に外周枠と、梱包ケースと前記外周枠とを緩衝するための梱包材Ａと、前記梱包ケースと外周枠との擦れを防ぐためのポリシートを設け、さらにその内側に開閉可能な点検パネルと、前記外周枠と点検パネルの間を緩衝するための梱包材Ｂを設け、前記点検パネルの両サイドに設けたパネル支持部材を前記点検パネルから外した状態で同梱するようにしたものである。
【００１４】
本発明によれば、点検パネルの両サイドに設けたパネル支持部材を取り外し同梱することにより、従来パネル支持部材の変形や破損の原因となっていた外周枠に設けた突起部との接触がなくなり、かつ、テープ等の接合手段による固定作業を廃止することができる天井パネルの梱包体を得られる。
【００１５】
また他の手段は、外周枠と点検パネルの間を緩衝するための梱包材Ｂに、パネル支持部材をはめ込むための孔を設けた構造としたものである。
【００１６】
そして本発明によれば、パネル支持部材を外周枠と点検パネルの間を緩衝するための梱包材Ｂに設けた孔にパネル支持部材をはめ込むだけで、テープ等の接合手段によりパネル支持部材を固定する作業をすることなくパネル支持部材を固定することができる天井パネルの梱包体を得られる。
【００１７】
また他の手段は、梱包ケースを折り返し、バンドのみで固定する構造としたものである。
【００１８】
そして本発明によれば、板形状の梱包材を折り返し、押さえたままバンドによって固定することができるので、クラフトテープ等で接合する作業をなくすとともに部品点数を低減することができる天井パネルの梱包体を得られる。
【００１９】
また他の手段は、梱包ケースの四隅を折り曲げることで、梱包ケースと外周枠とを緩衝するための梱包材を不要としたものである。
【００２０】
そして本発明によれば、梱包ケースの四隅を折り曲げることで梱包材の代わりとし、梱包ケースと外周枠とを緩衝するための梱包材を不要としたので、部品点数を削減することができる天井パネルの梱包体を得られる。
【００２１】
【発明の実施の形態】
本発明の請求項１に記載の発明は、点検パネルの両サイドに設けたパネル支持部材を点検パネルから外した状態で同梱することにより、外周枠に設けた突起部との接触をなくすことで、パネル支持部材の変形や破損を防止し、かつテープ等の接合手段による固定作業を廃止することができるという作用を有する。
【００２２】
また、請求項２に記載の発明は、外周枠と点検パネルの間を緩衝するための梱包材Ｂにパネル支持部材を収納できる構造にしたものであり、パネル支持部材を梱包材Ｂに設けた孔にはめ込むだけで、テープ等の接合手段によりパネル支持部材を固定する作業をすることなくパネル支持部材を固定することができるという作用を有する。
【００２３】
また、請求項３に記載の発明は、梱包ケースを折り返し、バンドのみで固定する構造としたもので、板形状の梱包材を折り返し、押さえたままバンドによって固定することができるので、クラフトテープ等で接合する作業をなくすとともに部品点数を低減することができるという作用を有する。
【００２４】
また、請求項４に記載の発明は、梱包ケースの四隅を折り曲げることで、梱包ケースと外周枠とを緩衝するための梱包材Ａを不要としたもので、梱包ケースの四隅を折り曲げることで梱包材Ａの代わりとし、部品点数を削減することができるという作用を有する。
【００２５】
以下、本発明の実施例について添付図面を参照しながら説明する。
【００２６】
（実施例１）
図１および図２に示すように、天井パネルの梱包体は梱包ケース７の上にポリシート６、外周枠１、風向調節のための羽根およびメンテナンスのための点検口を兼ねる開閉可能な点検パネル２を順番に置き、梱包材Ｂ４を点検パネル２と外周枠１との長手方向の隙間に両端とも挟み込み緩衝している。また、梱包材Ｂ４の上面にパネル支持部材をはめ込むための孔１０が設けてあり、この孔１０に点検パネル２から外したパネル支持部材３をはめ込むことができる構造となっている。
【００２７】
また、梱包ケース７と外周枠１との間も梱包材Ａ５を挟み込むことで緩衝している。ポリシート６は、梱包ケース７と外周枠１との擦れを防ぐためのものである。
【００２８】
さらに、梱包材Ａ５を外周枠１の長手両端にあてがいながら梱包ケース７を外周枠１と梱包材Ａ５を同時に包むように折り曲げ、バンド８によって固定する。
【００２９】
そして、梱包をほどいて天井パネルを設置する時は、パネル支持部材３を梱包材Ｂ４から取り出し、図５に示すように、点検パネルにパネル支持部材を取り付けることとなる。
【００３０】
（実施例２）
図２に示すように、天井パネルの梱包体は、梱包ケースの四隅を折り曲げることのできる形状のずれ防止付梱包ケース９の上に、外周枠１、梱包材Ｂ４、点検パネル２を順番に置き、梱包材Ｂ４の上面に設けてあるパネル支持部材３をはめ込むための孔１０にパネル支持部材３をはめ込む。そして、ポリシート６を被せ、ずれ防止付梱包ケース９の四隅を内側へ折り込みながら外周枠１を包むように折り曲げ、バンド８によって固定する。
【００３１】
このように、梱包ケースの四隅を折り曲げることで、梱包ケースと外周枠とを緩衝するための梱包材Ａを不要とすることができる。
【００３２】
【発明の効果】
以上のように本発明によれば、点検パネルの両サイドに設けたパネル支持部材を取り外し同梱することにより、従来パネル支持部材の変形や破損の原因となっていた外周枠に設けた突起部との接触がなくなり、かつ、テープ等の接合手段による固定作業を廃止することができるという有利な効果が得られる。
【００３３】
また、パネル支持部材を外周枠と点検パネルの間を緩衝するための梱包材Ｂに設けた孔にパネル支持部材をはめ込むだけで、テープ等の接合手段によりパネル支持部材を固定する作業をすることなくパネル支持部材を固定することができるという効果が得られる。
【００３４】
また、板形状の梱包材を折り返し、押さえたままバンドによって固定することができるので、クラフトテープ等で接合する作業をなくすとともに部品点数を低減することができるという効果が得られる。
【００３５】
また、梱包ケースの四隅を折り曲げることで梱包材の代わりとし、梱包ケースと外周枠とを緩衝するための梱包材を不要としたので、部品点数を削減することができるという効果が得られる。
【図面の簡単な説明】
【図１】（ａ）本発明の実施例１の天井パネルの梱包体の構成を示す分解斜視図
（ｂ）本発明の実施例１の天井パネルの梱包体をバンドで固定した状態を示す斜視図
【図２】同天井パネルの梱包体の点検パネルと外周枠との長手方向の隙間に梱包材Ｂを挟み込んだ状態を示す部分拡大図
【図３】本発明の実施例２の天井パネルの梱包体の梱包状態を示す斜視図
【図４】（ａ）従来の天井パネルの梱包体の構成を示す分解斜視図
（ｂ）従来の天井パネルの梱包体の梱包ケースをバンドで固定した状態を示す斜視図
（ｃ）従来の天井パネルの梱包体の外周枠と点検パネルの接合状態を示す平面図
【図５】本発明の実施例１および従来の天井パネルの梱包体の点検パネルとパネル支持部材の接合方法を示す斜視図
【符号の説明】
１    外周枠
２    点検パネル
３    パネル支持部材
４    梱包材Ｂ
５    梱包材Ａ
６    ポリシート
７    梱包ケース
８    バンド
９    ずれ防止付梱包ケース
１０  パネル支持部材をはめ込むための孔
【図１】
0004149094.tif 000002
【図２】
0004149094.tif 000003
【図３】
0004149094.tif 000004
【図４】
0004149094.tif 000005
【図５】
0004149094.tif 000006